(57)【特許請求の範囲】
【請求項１】
少なくとも底面と側面を有する箱体からなる多面体状の箱において、
前記側面のうちの少なくとも一面は波状曲面から構成され、
前記波状曲面からなる側面の裏面には、平板と波板からなる片面段ボール製の補強材が、その波板の波目が前記波状曲面の波目と同方向に延びるように貼付されていることを特徴とする多面体状の箱。
【請求項２】
前記箱体は可撓性を有するシート状部材からなるカートンブランクを折り曲げて成形され、
前記波状曲面からなる側面の裏面には、当該側面よりもやや小さい補強材が貼付されていることを特徴とする請求項１に記載の多面体状の箱。
【請求項３】
前記箱体は２ｎ個(ｎは２以上の整数）の側面を有し、
前記側面の全てが、底面と平行な方向に延びる波目の波状曲面から構成されていることを特徴とする請求項２に記載の多面体状の箱。
【請求項４】
底面及び天面並びに２ｎ個(ｎは２以上の整数)の波状曲面からなる側面を有し、カートンブランクを折り曲げることにより形成される多面体状の箱の製造方法において、
２ｎ個の側面及び接着片を連設してなる長方形部と、前記長方形部の各側面を構成する部分の上下辺部に連設された底面及び天面を構成する複数の小片部とからなるカートンブランクを形成し、
前記カートンブランクの長方形部の各側面を構成する部分の裏面に、平板と波板からなり各側面よりもやや小さい片面段ボール製の補強材を、その波板の波目が前記波状曲面の波目と同方向に延びるように貼付し、
前記カートンブランクを前記補強材の周縁部で折り曲げ、
前記接着片を接着すると共に前記小片部の一部を重ね合わせることにより底面及び天面を形成することを特徴とする多面体状の箱の製造方法。
【発明の詳細な説明】
【技術分野】
【０００１】
本発明は、波状曲面からなる側面を有する多面体状の箱及びその製造方法に関する。
【背景技術】
【０００２】
紙製の箱は、その表面に図柄や絵柄、宣伝・広告用のメッセージ等を印刷し易いことから、商品のパッケージ、各種イベントや店頭に展示される宣伝・広告用ディスプレイ等として利用されている。特に、カートンブランクを折り曲げて組み立てられる紙製の箱は、組み立てが容易であること、組み立て前のカートンブランクの状態では嵩張らず保管スペースを小さくできること、廃棄し易いこと等の理由から様々な分野で広く利用されている。
【０００３】
加工の容易性からカートンブランクの折り曲げ部分は直線状とされることが多く、このため、カートンブランクを折り曲げて成形される紙製の箱は通常、底面及び天面並びに側面の全てが平面状に構成されている。ところが、このように全ての面が平面状である紙製容器は面白味が無く、意匠性が乏しい。
【０００４】
これに対して、一部の面を曲面状にすることにより、意匠性に富み、宣伝効果を高めた紙製の箱が提供されている(特許文献１参照）。
しかし、曲面状の部分は、少しの衝撃で凹んだり歪んだりし易い。特に、宣伝・広告用ディスプレイとして用いられる大型の箱は、商品パッケージとして用いられる小型の箱に比べると凹んだり歪んだりし易い。
【特許文献１】特開2000-313476号公報（図1）
【発明の開示】
【発明が解決しようとする課題】
【０００５】
そこで、本発明が解決しようとする課題は、意匠性に富み、且つ、十分な強度及び安定性を有する多面体状の箱及びその製造方法を提供することである。
【課題を解決するための手段】
【０００６】
上記課題を解決するために成された本発明は、少なくとも底面と側面を有する箱体からなる多面体状の箱であって、
前記側面のうちの少なくとも一面は波状曲面から構成され、
前記波状曲面からなる側面の裏面には、平板と波板からなる片面段ボール製の補強材が、その波板の波目が前記波状曲面の波目と同方向に延びるように貼付されていることを特徴とする。
ここで、「波状」とは、一方向の曲率がゼロであり、それと直交する方向にのみ正及び負の曲率を有する曲面をいう。曲率がゼロとなる方向を「波目」と呼ぶ。
【０００７】
前記箱体は可撓性を有するシート状部材からなるカートンブランクを折り曲げて成形することができる。この場合、前記波状曲面からなる側面の裏面には、当該側面よりもやや小さい補強材を貼付すると良い。可撓性を有するシート状部材としては、紙製シートやプラスチック製シートを用いることができる。
【０００８】
また、本発明は、底面及び天面並びに２ｎ個(ｎは２以上の整数)の波状曲面からなる側面を有し、カートンブランクを折り曲げることにより形成される多面体状の箱の製造方法であって、
２ｎ個の側面及び接着片を連設してなる長方形部と、前記長方形部の各側面を構成する部分の上下辺部に連設され底面及び天面を構成する複数の小片部とからなるカートンブランクを形成し、
前記カートンブランクの長方形部の各側面を構成する部分の裏面に、平板とその一方の面に接着された波板からなり各側面よりもやや小さい片面段ボール製の補強材を、その波板の波目が前記波状曲面の波目と同方向に延びるように貼付し、
前記カートンブランクを前記補強材の周縁部で折り曲げ、
前記接着片を接着すると共に前記小片部の一部を重ね合わせて箱体を製造することを特徴とする。
【発明の効果】
【０００９】
本発明によれば、箱体の少なくとも一側面を波状曲面としたことにより、意匠性に富んだ多面体状の箱を提供することができる。また、片面段ボール製の補強材を波状曲面の側面の裏面に貼付した。片面段ボールは、その波目と直交する方向に柔軟に湾曲する性質を有する。従って、補強材を貼付したことにより波状曲面の側面の強度を高めつつ滑らかな波状曲面を形成することができる。
【００１０】
また、本発明の多面体状の箱の製造方法によれば、カートンブランクを折り曲げることにより簡単に箱体を形成することができる。この場合、前記波状曲面からなる側面を構成する部分の裏面に、各側面よりもやや小さい補強材を貼付した後、前記補強材の周縁部で折り曲げるようにしたため、予め折線を設けておく必要がなく、より簡単に箱体を形成することができる。
【発明を実施するための最良の形態】
【００１１】
以下、本発明を宣伝・広告用ディスプレイに用いられる箱に適用した具体的な実施形態について図面を参照しながら説明する。
図１〜図６は本発明の第１の実施形態を示している。図１及び図２に示すように、本実施形態に係る多面体状の箱は、底面１２及び天面１３並びに前後左右の側面１４〜１７から成る６面体状の箱体１０から構成されている。底面１２及び天面１３は長方形状の平面からなり、直線状の折線２０によって側面１４〜１７と接している。前後左右の側面１４〜１７はいずれも波目が水平方向に延びる波状曲面からなり、波形状の折線２１を介して接している。図２に示すように、前後の側面１４，１５は左右に線対称な花瓶状の図形からなり、上半部が山部、下半部が谷部となる波状曲面となっている。左右の側面１６，１７は左右に線対称な上下逆向きの花瓶状の図形からなり、上半部が山部、下半部が谷部となる波状曲面となっている。
【００１２】
上記構成の箱体１０は図３〜図５に示す紙製シートからなるカートンブランク２４を組み立てて形成される。図３は、箱体１０の外面側からみたカートンブランク２４の展開図、図４は箱１０の内面側から見たカートンブランク２４の展開図、図５は途中まで組み立てられた状態のカートンブランク２４を示している。通常、図５に示す筒状のカートンブランク２４の状態で保管される。
【００１３】
図３及び図４に示すように、カートンブランク２４は、長方形部２６とその上部及び下部に延設された複数の小片部２８から構成されている。長方形部２６は、接着片２７と、組み立てられたときに前後左右の側面１４〜１７を構成する部分から構成されている。ここでは、前後左右の側面１４〜１７を構成する部分をそれぞれ前側面構成部１４ａ、後側面構成部１５ａ、左側面構成部１６ａ，１６ｂ、右側面構成部１７ａとする。後述するように、左側面構成部１６ａ，１６ｂは、接着片２７を左側面構成部１６ｂに接着することにより連結されて左側面１６全体に対応する形状となる。
【００１４】
各側面構成部の裏面にはそれぞれ補強材３０が貼付されている。前側面構成部１４ａ、後側面構成部１５ａ、左側面構成部１６ａ，１６ｂの裏面には各側面構成部よりもやや小さい形状の１枚の補強材３０が貼付されている。右側面構成部１７ａの裏面には、当該側面構成部よりもやや小さい形状のものを２分割してなる２枚の補強材３０が貼付されている。具体的には、各補強材３０は各側面構成部に対して１〜５mm程度のマージンを有するよう設計されている。
補強材３０は、平板Ｄ１と波板Ｄ２を貼り合わせてなる片面段ボールＤ（図６参照）を打ち抜いて形成されたものである。各補強材３０は、その波板の波目が各側面１４〜１７の波目と同じ方向となるように、平板側において各側面構成部に貼付されている。
【００１５】
前記カートンブランク２４は次のように組み立てることにより箱体１０が形成される。まず、補強材３０の周縁部に沿ってカートンブランク２４を順に折り曲げて折目を付ける。この結果、カートンブランク２４に折線２０〜２２が設けられる。尚、一点鎖線は山折り線を、二点鎖線は谷折り線を示している。
【００１６】
続いて、接着片２７を左側面構成部１６ｂの外面に接着すると共に接着片２７と左側面構成部１６ａの間、右側面構成部１７ａに設けられる折線２２で折り畳む。これにより、図５に示す折り畳まれた状態の筒状のカートンブランク２４が形成される。尚、折線２２は、筒状のカートンブランク２４を折り畳めるようにするために設けられたものであり、この結果、筒状のカートンブランク２４の保管スペースを小さくすることができる。
【００１７】
筒状のカートンブランク２４の折線２２の折目を延ばした後、折線２０，２１で折り曲げると共に、小片部２８同士を適宜重ね合わせる。これにより小片部２８から平面状の底面１２及び天面１３が形成され、各側面構成部から波状曲面状の側面１４〜１７が形成されて箱体１０が完成する。
【００１８】
このように、本実施形態の箱体１０によれば前後左右の側面１４〜１７を波状曲面としたので、意匠性に優れるという効果を有する。また、本実施形態では、各側面１４〜１７を左右に線対称な図形としたため、折線２１で折り曲げることにより全側面１４〜１７を容易に波状曲面にすることができる。また、上半部が山部で下半部が谷部となる側面と、上半部が谷部で下半部が山部となる側面を交互に配置したことにより、造形的なおもしろさを有する箱体１０を形成することができる。従って、前記箱体１０を宣伝・広告用ディスプレイとして用いた場合に人目を引くことになり、高い宣伝効果を得ることができる。
【００１９】
また、各側面１４〜１７の裏面に片面段ボールからなる補強材３０を、その波目と各側面１４〜１７の波目が同じ方向になるように貼付した。
図６に示すように、片面段ボールＤは、波目が延びる方向Ｐ１には折れ曲がり難く、波目と直交する方向Ｐ２には柔軟に湾曲する。従って、各側面１４〜１７の裏面に補強材３０を貼付することにより、波状曲面の滑らかさを損なうことなく各側面１４〜１７の強度を向上させることができる。しかも、補強材３０を平板側で各側面１４〜１７の裏面に貼付したため、補強材３０の波目が側面１４〜１７の外面に浮き出ることがない。このため、補強材３０を貼付したことにより各側面１４〜１７の滑らかさが損なわれることがない。
【００２０】
尚、本実施形態では接着片２７を左側面構成部１６ｂの外面に接着したが、左側面構成部１６ｂの裏面（内面)に接着しても良い。この場合は、接着片２７を左側面構成部１６ｂの裏面に接着した後、その上から補強材３０を貼付する。
また、本実施形態では筒状のカートンブランク２４を折りたためるように折線２２を設けたが、シート状のカートンブランク２４から直接、箱体１０を形成する場合は、折線２２は不要である。
【００２１】
図７及び図８は本発明の第２の実施形態を示している。この実施形態では、２種類のシート状のカートンブランク４１，４２を繋げて筒状のカートンブランク４３を構成し、この筒状のカートンブランク４３から箱体１０を形成している。
一方のシート状のカートンブランク４１は、接着片２７，左側面１６の一部を構成する左側面構成部４５ａ，前側面構成部４６，右側面構成部４７と、その上下に連接された小片部２８から構成されている。他方のシート状のカートンブランク４２は、接着片２７と、右側面１７の一部を構成する右側面構成部４７ａ、後側面構成部４８、左側面構成部４５と、その上下に連接された小片部２８から構成されている。
【００２２】
カートンブランク４１の左側面構成部４５ａ，前側面構成部４６の裏面には各構成部よりもやや小さい形状の補強部材３０がそれぞれ貼付されている。カートンブランク４２の右側面構成部４７ａ、後側面構成部４８の裏面には各構成部よりもやや小さい形状の補強材３０がそれぞれ貼付されている。
【００２３】
本実施形態では次のようにして箱体１０が組み立てられる。まず、カートンブランク４１及び４２を補強材３０の周縁部で折り曲げて折目を付ける。これにより、カートンブランク４１，４２に折線２０〜２２が形成される。次に、カートンブランク４１の接着片２７をカートンブランク４２の左側面構成部４５の裏面の接着部５０に接着し、他方のカートンブランク４２の接着片２７をカートンブランク４１の右側面構成部４７の裏面の接着部５１に接着する。続いて、カートンブランク４１の左側面構成部４５の裏面に接着片２７の上から補強材３０を貼付し、カートンブランク４２の右側面構成部４７の裏面に接着片２７の上から補強材３０を貼付する。そして、折線２２で折り畳むことにより、図８に示す折り畳まれた状態の筒状のカートンブランク４３が形成される。
【００２４】
この後、カートンブランク４３の折線２２の折目を延ばした後、折線２０，２１で折り曲げると共に、小片部２８同士を適宜重ね合わせる。これにより底面１２及び天面１３並びに各側面１４〜１７が形成されて、箱体１０が完成する。
【００２５】
本実施形態では、接着片２７を左側面構成部４５や右側面構成部４７に接着した後、その接着部分を左側面構成部４５及び右側面構成部４７で覆うように構成した。このため、左側面構成部４５と右側面構成部４７aのつなぎ目、右側面構成部４７と右側面構成部４７aのつなぎ目が外部から見えない。このため、カートンブランク４３を組み立てて箱体１０を形成したときに、いずれの側面１４〜１７にもつなぎ目ができず、見栄えを良くすることができる。
【００２６】
尚、本発明は上記した実施形態に限定されるものではなく例えば次のような変形が可能である。
補強材は、波板側において各側面の裏面に貼付しても良い。この場合は、補強材の波目が各側面の外面に浮き出ることが考えられるが、この場合は新たな模様を側面に付与することができるという効果を有する。
箱体の材料には、紙製シートの他、合成樹脂製シートを用いることができる。
本発明は６面体以外の多面体にも適用できる。また、底面及び天面と２n個(nは２以上の整数)の側面を有する多面体の場合、各側面の両側の折線を線対称な形状にすることにより、全ての側面を波状曲面にすることができる。
また、本発明は宣伝・広告用ディスプレイの他、商品パッケージとしての箱にも適用可能である。
【図面の簡単な説明】
【００２７】
【図１】本発明の第１の実施形態に係る多面体状の箱の全体構成を示す斜視図。
【図２】多面状の箱の平面図(a)、正面図(b)、左側面図(c)。
【図３】箱体の外側からみたカートンブランクの展開図。
【図４】箱体の内側からみたカートンブランクの展開図。
【図５】接着片を接着し筒状にしたカートンブランクの平面図。
【図６】片面段ボールの機能を説明するための図。
【図７】本発明の第２の実施形態に係る多面体状の箱のカートンブランクの展開図。
【図８】接着片を接着し筒状にしたカートンブランクの平面図。
【符号の説明】
【００２８】
１０…箱体
１２…底面
１３…天面
１４〜１７…側面
２０，２２…折線
２４，４１〜４３…カートンブランク
２６…長方形部
２７…接着片
２８…小片部
３０…補強材
Ｄ…片面段ボール
Ｄ１…平板
Ｄ２…波板
【図１】
0005026203.tif 000002
【図２】
0005026203.tif 000003
【図３】
0005026203.tif 000004
【図４】
0005026203.tif 000005
【図５】
0005026203.tif 000006
【図６】
0005026203.tif 000007
【図７】
0005026203.tif 000008
【図８】
0005026203.tif 000009